【手続補正書】
【提出日】平成28年8月1日(2016.8.1)
【手続補正１】
【補正対象書類名】特許請求の範囲
【補正対象項目名】全文
【補正方法】変更
【補正の内容】
【特許請求の範囲】
【請求項１】
始動条件の成立により特別遊技を行うか否かの特別遊技判定の権利を保留可能な保留手段と、
演出を行わせる演出制御手段と、を備え、
前記演出制御手段は、
前記権利が保留されていることを示す保留図柄を表示手段に表示させるとともに、前記保留図柄を特殊保留図柄に変化させることが可能な保留表示制御手段と、
前記保留図柄が前記特殊保留図柄に変化される前に、前記特殊保留図柄に変化されることを示唆する予告演出を行わせることが可能な予告演出制御手段と、を有し、
前記保留表示制御手段は、前記保留図柄を、前記特別遊技が行われる可能性が高いことを示唆する第１の特殊保留図柄、又は、前記特別遊技が行われる可能性が高いことを示唆する第２の特殊保留図柄、に変化させることが可能であり、
前記予告演出制御手段は、
前記保留図柄が前記第１の特殊保留図柄又は前記第２の特殊保留図柄のいずれかに変化されるとき、前記第１の特殊保留図柄及び前記第２の特殊保留図柄のいずれにも変化される可能性があることを示唆する前兆演出を行わせることが可能な前兆演出制御手段と、
前記保留図柄が前記第１の特殊保留図柄に変化されるとき、前記前兆演出が行われた後に前記第１の特殊保留図柄に変化されることを示唆する第１変化演出を行わせ、前記保留図柄が前記第２の特殊保留図柄に変化されるとき、前記前兆演出が行われた後に前記第２の特殊保留図柄に変化されることを示唆する第２変化演出を行わせる変化演出制御手段と、を含み、
前記前兆演出は、前記第１の特殊保留図柄に変化される可能性があることを示唆する第１前兆演出と、前記第１前兆演出とは異なる、前記第２の特殊保留図柄に変化される可能性があることを示唆する第２前兆演出と、を含み、
前記変化演出制御手段は、前記前兆演出が行われた後に、前記第１変化演出も前記第２変化演出も行わせないときがある
ことを特徴とする遊技機。
【請求項２】
始動条件の成立により特別遊技を行うか否かの特別遊技判定の権利を保留可能な保留手段と、
演出を行わせる演出制御手段と、を備え、
前記演出制御手段は、
前記権利が保留されていることを示す保留図柄を表示手段に表示させる保留表示制御手段と、
前記権利が消化された後においても当該権利に応じた当該権利図柄を前記表示手段に表示させるとともに、前記当該権利図柄を特殊権利図柄に変化させることが可能な当該権利図柄表示制御手段と、
前記当該権利図柄が前記特殊権利図柄に変化される前に、前記特殊権利図柄に変化されることを示唆する予告演出を行わせることが可能な予告演出制御手段と、を有し、
前記当該権利図柄表示制御手段は、前記当該権利図柄を、前記特別遊技が行われる可能性が高いことを示唆する第１の特殊権利図柄、又は、前記特別遊技が行われる可能性が高いことを示唆する第２の特殊権利図柄、に変化させることが可能であり、
前記予告演出制御手段は、
前記当該権利図柄が前記第１の特殊権利図柄又は前記第２の特殊権利図柄のいずれかに変化されるとき、前記第１の特殊権利図柄及び前記第２の特殊権利図柄のいずれにも変化される可能性があることを示唆する前兆演出を行わせることが可能な前兆演出制御手段と、
前記当該権利図柄が前記第１の特殊権利図柄に変化されるとき、前記前兆演出が行われた後に前記第１の特殊権利図柄に変化されることを示唆する第１変化演出を行わせ、前記当該権利図柄が前記第２の特殊権利図柄に変化されるとき、前記前兆演出が行われた後に前記第２の特殊権利図柄に変化されることを示唆する第２変化演出を行わせる変化演出制御手段と、を含み、
前記前兆演出は、前記第１の特殊権利図柄に変化される可能性があることを示唆する第１前兆演出と、前記第１前兆演出とは異なる、前記第２の特殊権利図柄に変化される可能性があることを示唆する第２前兆演出と、を含み、
前記変化演出制御手段は、前記前兆演出が行われた後に、前記第１変化演出も前記第２変化演出も行わせないときがある
ことを特徴とする遊技機。
【手続補正２】
【補正対象書類名】明細書
【補正対象項目名】０００８
【補正方法】変更
【補正の内容】
【０００８】
本発明の遊技機は、始動条件の成立により特別遊技を行うか否かの特別遊技判定の権利を保留可能な保留手段と、演出を行わせる演出制御手段と、を備え、前記演出制御手段は、前記権利が保留されていることを示す保留図柄を表示手段に表示させるとともに、前記保留図柄を特殊保留図柄に変化させることが可能な保留表示制御手段と、前記保留図柄が前記特殊保留図柄に変化される前に、前記特殊保留図柄に変化されることを示唆する予告演出を行わせることが可能な予告演出制御手段と、を有し、前記保留表示制御手段は、前記保留図柄を、前記特別遊技が行われる可能性が高いことを示唆する第１の特殊保留図柄、又は、前記特別遊技が行われる可能性が高いことを示唆する第２の特殊保留図柄、に変化させることが可能であり、前記予告演出制御手段は、前記保留図柄が前記第１の特殊保留図柄又は前記第２の特殊保留図柄のいずれかに変化されるとき、前記第１の特殊保留図柄及び前記第２の特殊保留図柄のいずれにも変化される可能性があることを示唆する前兆演出を行わせることが可能な前兆演出制御手段と、前記保留図柄が前記第１の特殊保留図柄に変化されるとき、前記前兆演出が行われた後に前記第１の特殊保留図柄に変化されることを示唆する第１変化演出を行わせ、前記保留図柄が前記第２の特殊保留図柄に変化されるとき、前記前兆演出が行われた後に前記第２の特殊保留図柄に変化されることを示唆する第２変化演出を行わせる変化演出制御手段と、を含み、前記前兆演出は、前記第１の特殊保留図柄に変化される可能性があることを示唆する第１前兆演出と、前記第１前兆演出とは異なる、前記第２の特殊保留図柄に変化される可能性があることを示唆する第２前兆演出と、を含み、前記変化演出制御手段は、前記前兆演出が行われた後に、前記第１変化演出も前記第２変化演出も行わせないときがあることを特徴とする。
【手続補正３】
【補正対象書類名】明細書
【補正対象項目名】０００９
【補正方法】変更
【補正の内容】
【０００９】
本発明の遊技機は、始動条件の成立により特別遊技を行うか否かの特別遊技判定の権利を保留可能な保留手段と、演出を行わせる演出制御手段と、を備え、前記演出制御手段は、前記権利が保留されていることを示す保留図柄を表示手段に表示させる保留表示制御手段と、前記権利が消化された後においても当該権利に応じた当該権利図柄を前記表示手段に表示させるとともに、前記当該権利図柄を特殊権利図柄に変化させることが可能な当該権利図柄表示制御手段と、前記当該権利図柄が前記特殊権利図柄に変化される前に、前記特殊権利図柄に変化されることを示唆する予告演出を行わせることが可能な予告演出制御手段と、を有し、前記当該権利図柄表示制御手段は、前記当該権利図柄を、前記特別遊技が行われる可能性が高いことを示唆する第１の特殊権利図柄、又は、前記特別遊技が行われる可能性が高いことを示唆する第２の特殊権利図柄、に変化させることが可能であり、前記予告演出制御手段は、前記当該権利図柄が前記第１の特殊権利図柄又は前記第２の特殊権利図柄のいずれかに変化されるとき、前記第１の特殊権利図柄及び前記第２の特殊権利図柄のいずれにも変化される可能性があることを示唆する前兆演出を行わせることが可能な前兆演出制御手段と、前記当該権利図柄が前記第１の特殊権利図柄に変化されるとき、前記前兆演出が行われた後に前記第１の特殊権利図柄に変化されることを示唆する第１変化演出を行わせ、前記当該権利図柄が前記第２の特殊権利図柄に変化されるとき、前記前兆演出が行われた後に前記第２の特殊権利図柄に変化されることを示唆する第２変化演出を行わせる変化演出制御手段と、を含み、前記前兆演出は、前記第１の特殊権利図柄に変化される可能性があることを示唆する第１前兆演出と、前記第１前兆演出とは異なる、前記第２の特殊権利図柄に変化される可能性があることを示唆する第２前兆演出と、を含み、前記変化演出制御手段は、前記前兆演出が行われた後に、前記第１変化演出も前記第２変化演出も行わせないときがあることを特徴とする。